(57)【要約】  複数の皮膚有効成分を使用者の皮膚に対して標的化及び個別送達するためのシステム及び方法を提供する。第一に、使用者の皮膚の所定の処置領域の画像が、画像形成装置によって取得される。次いで、分析ツール及び最終使用者からの選択的なデータ入力が、コンピュータ装置によって分析されて、使用者特有の皮膚プロファイルが生成され、それが所定の処置領域の皮膚状態を示す。プリント装置が、このような皮膚プロファイルに基づいて、所定の処置領域に貼ることができる一つ又は複数の美容送達シートをプリントアウトする。美容送達シートのそれぞれが複数の隔離された個別の領域を有する基体を備える一方、その領域のうちの少なくとも二つの領域には、使用者特有の皮膚プロファイルに従って、所定の処置領域の異なる皮膚状態を処置するために異なる皮膚有効成分がインプリントされる。【選択図】図１
2013532003.tif 000002
【特許請求の範囲】
【請求項１】
複数の皮膚有効成分を使用者の皮膚に対して標的化及び個別送達するためのシステムであって、
前記使用者の皮膚の所定の処置領域の画像を取得する画像形成装置と、
前記使用者の皮膚の前記所定の処置領域の状態を示す皮膚プロファイルを生成する手段と、
一つ又は複数の美容送達シートをプリントし、分析装置に通信接続されたプリント装置と、を備え、
前記美容送達シートが、前記使用者の皮膚の前記所定の処置領域に合うように調整及び構成され、前記美容送達シートのそれぞれが、複数の隔離された個別の領域を有する基体を備え、前記隔離された個別の領域のうちの少なくとも二つの領域には、前記生成する手段によって生成された前記皮膚プロファイルに従って、前記所定の処置領域の異なる皮膚状態を処置するために異なる皮膚有効成分がインプリントされる、システム。
【請求項２】
前記画像形成装置がデジタルカメラである、請求項１に記載のシステム。
【請求項３】
皮膚プロファイルを生成する前記手段が、コンピュータ装置と関連付けられたコンピュータソフトウェアを含み、
前記コンピュータソフトウェア及び関連するコンピュータ装置が、個別の使用者についてのデータを受信し、前記データを処理し、さまざまな皮膚状態、及び前記取得された画像における前記皮膚状態の対応する位置を示す、その使用者用にカスタマイズされた皮膚プロファイルを生成するようにプログラムされている、請求項１に記載のシステム。
【請求項４】
前記データが、自動化されたデータ画像形成装置又はデータ収集装置、市販の皮膚画像形成ツール又は皮膚分析ツール、及び入力装置のうちの少なくとも一つ又はそれらの組合せからの入力の形で受信される、請求項３に記載のシステム。
【請求項５】
前記入力装置が、キーボード、タッチスクリーン、コンピュータ、携帯情報端末、携帯電話、スマートフォン、ＰＯＳターミナル、キオスク、及びワークステーションのうちの少なくとも一つ又はそれらの組合せである、請求項４に記載のシステム。
【請求項６】
前記データが、美容オペレータ、購入者、及び製品の最終使用者のうちの少なくとも一人により、前記入力装置を介して入力される、請求項５に記載のシステム。
【請求項７】
前記プリント装置が、皮膚有効成分を含む組成物が充填された複数のカートリッジを備えたプリンタであり、前記プリント装置が、前記皮膚有効成分を含む前記組成物を前記美容送達シートの前記基体上に非加熱式プリント処理を通じてプリントするように構成されている、請求項１に記載のシステム。
【請求項８】
前記基体と前記皮膚有効成分の両方が水溶性であり、これにより、そのように形成された前記美容送達シートが、前記使用者の皮膚上に貼られた後、前記使用者の皮膚に完全に吸収され得る、請求項７に記載のシステム。
【請求項９】
複数の皮膚有効成分を使用者の皮膚に対して標的化及び個別送達するための方法であって、
前記使用者の皮膚の所定の処置領域の画像を取得する工程と、
前記所定の処置領域をマッピングするために、前記取得された画像を分析する工程と、
入力装置から選択的なデータ入力を取得する工程と、
前記選択的なデータ入力から、前記使用者の皮膚の前記所定の処置領域の状態を示す皮膚プロファイルを生成する工程と、
前記生成された皮膚プロファイルに基づいて一つ又は複数の美容送達シートをプリントする工程であって、前記美容送達シートが、前記使用者の皮膚の前記所定の処置領域に合うように調整及び構成され、前記美容送達シートのそれぞれが、複数の隔離された個別の領域を有する基体を備え、前記隔離された個別の領域のうちの少なくとも二つの領域に、前記所定の処置領域の異なる皮膚状態を処置するために異なる皮膚有効成分がインプリントされる工程と、
を含む方法。
【請求項１０】
前記入力装置が、キーボード、タッチスクリーン、コンピュータ、携帯情報端末、携帯電話、スマートフォン、ＰＯＳターミナル、キオスク、及びワークステーションのうちの少なくとも一つ又はそれらの組合せである、請求項９に記載のシステム。
【発明の詳細な説明】
【技術分野】
【０００１】
関連出願の相互参照
本願は、2008年9月16日出願の米国第61/097,273号の優先権を主張する、2009年7月31日出願の米国特許出願第12/533,107号の非仮出願である一部継続出願（CIP）である。本願はまた、2008年9月16日出願の米国特許仮出願第61/097,273号及び2008年5月9日出願の米国特許仮出願第61/051,774号の優先権を主張する、2009年3月24日出願の米国特許出願第12/410,118号の優先権を主張する。
【０００２】
本発明は、一種類以上の皮膚有効成分をこうした皮膚有効成分を必要としている使用者の皮膚に対して標的化及び個別送達するための方法及びシステムに関し、さらに皮膚有効成分を含み、皮膚の一つ又は複数の標的領域にその皮膚有効成分を送達するための使い捨てシート形のデバイスに関する。本発明は、詳細には、一種類以上の皮膚有効成分を使用者の顔の皮膚の標的領域にこうした使用者特有の皮膚プロファイルに基づいて送達する方法、及び、使用者の皮膚の標的領域に貼ってそこを処置するための、一種類以上の美容用製剤又は皮膚用製剤を含ませた美容シートマスクに関する。
【背景技術】
【０００３】
さまざまな美容用のパッチ又はデバイスが、ビタミン、抗ニキビ有効物質、保湿剤などのスキンケア有効物質を送達するのに有用なものとして市販され、あるいはそう評されている。顔、首、及び体の他の部分の皮膚に貼るために、綿不織布、伸縮性素材、熱可塑性樹脂、粘着性ゲルなどのさまざまな物質から成る、さまざまな美容用製剤又は皮膚用製剤をしみ込ませた美容シートを使用することが知られている。美容シートは、貼ったときに標的領域に合うように適合された柔軟な支持体を備えている。シートは、皮膚有効成分を含み且つシートが貼られた皮膚にその皮膚有効成分を送達するためのシステムも含む。しかし、現在、市場に出ている顔用シートマスクは、有効な成分が全面的にしみ込ませてあり、これらの成分を顔全体に送達できるように顔全体に貼られる。あるいは、皮膚有効成分を目の下などの特定の領域のみに送達できるように、パッチがその場所にのみ貼られる。しかし、これらの商品は、消費者に知られているように使用上の望ましくない特性となる欠点をもっている。例えばこれまでは、既知の顔全体用マスクでは、一種類以上の皮膚有効成分を用いて一つ又は複数の特定の領域を標的にすることは不可能であり、一種類の組成物を用いて顔全体を処置するのみであった。たいていの消費者は、自身の顔の別々の領域に皮膚に関する異なる悩みを抱えている。例えば、多くの消費者は混合肌であり、Ｔゾーン領域（額、鼻、及び顎）は油っぽいが、顔の他の部分は乾燥している。別の例では、額、目、及び口の領域にシワ及び小ジワがあり、頬の領域の皮膚が乾燥又はかさついており、他の領域にシミがある消費者がいる場合がある。各領域は、異なる悩みに対処するために異なる処置用製品が必要であろう。従来のマスクは、標的領域のみでなく、顔全体の皮膚を処置することにより、一度に一つの悩みに対処できるのみである。
【発明の概要】
【発明が解決しようとする課題】
【０００４】
したがって、複数の皮膚有効成分を、使用者の皮膚のさまざまな標的領域に送達し、使用者特有の皮膚プロファイルに基づいてこうした使用者の異なる皮膚状態に対処し得る美容シートが、消費者によって必要とされている。
【課題を解決するための手段】
【０００５】
本発明による美容シートには、個別の領域が備わっており、異なる皮膚有効成分がインプリント(imprint)されているので、このような美容シートを皮膚に合わせて貼ると、シートが所定用量の異なるスキンケア配合物を皮膚に正確に送達して、さまざまな皮膚状態を処置したり、皮膚に対してさまざまな効果を提供したりすることができる。より好ましくは、本発明の美容シートは、従来の「万能型」製品のように大量生産されるものではなく、使用者固有の皮膚プロファイルに従って、個々の使用者用に特にカスタマイズされたものである。
【０００６】
したがって、本発明は一態様において、複数の皮膚有効成分を使用者の皮膚に対して標的化及び個別送達するためのシステムに関する。このようなシステムは、少なくとも、（ａ）使用者の皮膚の所望の処置領域の画像を取得する画像形成装置と、（ｂ）使用者の皮膚の所定の処置領域の実際の状態又は認識された状態を示す皮膚プロファイルを生成する手段と、（ｃ）一つ又は複数の美容送達シート(cosmetic delivery sheets)をプリントし、分析装置に通信接続されたプリント装置と、を備え、美容送達シートが、使用者の皮膚の所定の処置領域に合うように調整及び構成され、美容送達シートのそれぞれが、複数の隔離された個別の領域を有する基体を備え、隔離された個別の領域のうちの少なくとも二つの領域には、生成手段によって生成された皮膚プロファイルに従って、所定の処置領域の異なる皮膚状態を処置するために異なる皮膚有効成分がインプリントされる。
【０００７】
本発明は別の態様において、使用者の皮膚の所定の処置領域に合うように調整及び構成された美容送達シートに関する。このような美容送達シートは、少なくとも複数の隔離された個別の領域を有する基体を備え、隔離された個別の領域のうちの少なくとも二つの領域には、所定の処置領域の異なる皮膚状態を処置するために異なる皮膚有効成分がインプリントされる。
【０００８】
本発明はさらなる態様において、皮膚有効成分を含む組成物が充填されているカートリッジを搭載するプリンタに関する。必須ではないが好ましくは、このようなプリンタは、皮膚有効成分を基体上に非加熱式プリント処理によってプリントするように構成される。
【０００９】
本発明はさらに別の態様において、複数の皮膚有効成分を使用者の皮膚に対して標的化及び個別送達するための方法に関し、少なくとも、（ａ）使用者の皮膚の所定の処置領域の画像を取得する工程と、（ｂ）取得された画像データ、及び皮膚分析ツールを介して取得された追加のデータ、並びに質問票への使用者の回答を手動又は自動で分析する工程と、（ｃ）使用者の皮膚の所定の処置領域の状態を示す皮膚プロファイルを手動又は自動で生成する工程と、（ｄ）生成された皮膚プロファイルに基づいて一つ又は複数の美容送達シートをプリントする工程であって、美容送達シートが、使用者の皮膚の所定の処置領域に合うように調整及び構成され、美容送達シートのそれぞれが、複数の隔離された個別の領域を有する基体を備え、隔離された個別の領域のうちの少なくとも二つの領域には、所定の処置領域の異なる皮膚状態を処置するために異なる皮膚有効成分がインプリントされる工程とを含む。
【００１０】
本発明の他の態様及び目的は、以下の説明、実施例、及び特許請求の範囲からより明らかになるであろう。
【図面の簡単な説明】
【００１１】
【図１】本発明の全体的なシステム及び方法を表す流れ図である。
【図２】図１に示した全体的なシステムのうちの画像獲得工程をさらに詳しく示す流れ図である。
【図３】図１に示した全体的なシステムのうちの皮膚評価工程の一実施形態をさらに詳しく示す流れ図である。
【図４】図１に示した全体的なシステムのうちの皮膚評価の要約及び美容製品作製ソフトウェア工程をさらに詳しく示す流れ図である。
【図５】図１に示した全体的なシステムのうちのその場にあるプリンタ又は別の場所にあるプリンタの工程をさらに詳しく示す流れ図である。
【図６】本発明の一実施形態による、複数の隔離された個別の領域に異なる皮膚有効成分が含まれる顔用マスクの略図である。
【図７】本発明の第二の実施形態による、顔用マスクの略図である。
【図８】図１の顔用マスク上の一つの隔離された個別の領域の分解図である。
【図９】図１に示した全体的なシステムのうちの皮膚評価工程の複数の代替実施形態をさらに詳しく示す流れ図である。
【発明を実施するための形態】
【００１２】
以下、本発明の例示的な実施形態について詳述する。手動分析又は自動分析によって作製された使用者特有の皮膚プロファイルに基づいて、複数の皮膚有効成分を使用者の皮膚に対して標的化（target）及び個別送達するために、コンピュータ式システム又はコンピュータ支援システムが使用されることが考えられる。本発明のシステムによって作製された美容送達製品は、要求に応じて、並びに使用者の皮膚プロファイルに従って、複数の皮膚有効成分を複数の標的部又は標的領域に正確な用量及び位置を制御しながら送達することができる。
【００１３】
このようなシステムは、少なくとも、使用者の皮膚の所望の処置領域の画像を取得するための画像形成装置を含むことが好ましい。このような所望の皮膚処置領域は、例えば、顔全体であっても、顔の一部、首、腿などであってもよい。本発明の必須ではないが特に好ましい実施形態では、所望の処置領域は使用者の顔全体である。画像形成装置はデジタルカメラであって、白色光、赤外光、近赤外光などの均一で十分な可視光又は不可視光を送出する光源と連動して、所望の処置領域の画像を取得できることが好ましい。画像形成装置は、所望の処置領域を特定するために手動モード又は自動モードのいずれかに設定することができる。
【００１４】
取得された画像は、デジタルデータに変換され、例えば画像形成装置及び／若しくはコンピュータ内の適切な媒体に、並びに／又は、画像形成装置及び／若しくはコンピュータに恒久的に若しくは選択的に通信接続された専用記憶装置内に記憶される。取得された画像は、装置間を例えばデジタルデータとして、画像形成装置とコンピュータ若しくは記憶装置との直接接続を介して、又は、（例えば同軸ケーブル、光ファイバケーブル、ＣＡＴ  ５ケーブル、携帯電話、衛星若しくは他の無線通信、光若しくは電子的伝送などの任意の形態の伝送媒体で）例えばＬＡＮ、ＷＡＮ、電話網若しくはインターネット網などのネットワークを介して、又は、例えば取得された画像をメモリ媒体（例えばメモリカード、ポータブルディスクドライブ、フラッシュドライブなど）に転送してそのメモリ媒体をある装置から別の装置に移すことによって手動で送信することができる。
【００１５】
このシステムは、処置を必要としているさまざまな状態を示す皮膚プロファイルを生成するための手段を含むことができる。皮膚プロファイルが、あるタイプの処置を必要とするある欠点を有する皮膚領域を規定することが好ましい。本明細書で使用する「欠点」という語は、皮膚の乾燥、かさつき、赤み、油っぽさ、毛穴の開き、くすみ、シミ、皮膚の色むら、ニキビ跡、シワ及び小ジワ、目の下のクマ、目の下の腫れぼったさ、セルライトなどのあらゆるタイプの最善と言えない皮膚状態、又はあらゆるタイプの異常な皮膚状態若しくは不調を広く含む。皮膚プロファイルが、皮膚の欠点の重症度も規定することがより好ましい。
【００１６】
好ましい一実施形態では、皮膚プロファイルを生成するための手段には、パーソナルコンピュータ、中央コンピュータ、又はより大規模なコンピュータバンク若しくはコンピュータ網の一部であるコンピュータサーバなどのコンピュータ装置と関連付けられたコンピュータソフトウェアが含まれる。コンピュータソフトウェア及び関連するコンピュータ装置は、個別の使用者についてのデータを受信し、そのデータを処理し、並びにさまざまな皮膚状態、及び取得された画像におけるその皮膚状態の対応する位置を示す、その使用者用にカスタマイズされた皮膚プロファイルを生成するようにプログラムされている。同じコンピュータソフトウェア及び関連するコンピュータ装置並びに/又は別のソフトウェア及びコンピュータ装置が、皮膚プロファイルで特定されたさまざまな皮膚状態の処置のための推奨事項を生成するようにプログラムされてもよい。
【００１７】
皮膚プロファイルを生成するための手段は、自動化されたデータ画像形成装置又はデータ収集装置からの入力の形でデータを受信することができる。ここで、自動化されたデータ画像形成装置又はデータ収集装置は、上述のデジタル画像形成装置や、例えば皮膚ｐＨ測定装置、水分計、弾力計、スコープカメラなどの、皮膚状態を診断するために使用できる、他の商用の単独型又は携帯型の皮膚画像形成ツール又は皮膚分析ツールなどである。診断ツールの例としては、これらに限定されないが、キャンフィールド・サイエンティフィック・インコーポレイティッド(Canfield Scientific, Inc.、ニュージャージー州フェアフィールド)製のＶＩＳＩＡ（登録商標）  Ｃｏｍｐｌｅｘｉｏｎ  Ａｎａｌｙｓｉｓツール、分光カメラシステム、サーマルカメラシステム、レーザドップラ画像形成システム、半透明度測定装置、水分計、メラニン・紅斑測定装置、ＣＫエレクトロニック(CK Electronic、ドイツ、ケルン)製のＭｅｘａｍｅｔｅｒ（登録商標）  ＭＸ１８、コニカ・ミノルタ・ビジネス・ソリューションズＵ．Ｓ．Ａ．(Konica Minolta Business Solutions, U.S.A.、ニュージャージー州ラムジー)製のＣＲシリーズＣｈｒｏｍａ  Ｍｅｔｅｒ、アストロン・クリニカ・リミテッド(Astron Clinica Ltd.、英国、ケンブリッジ)製のＳＩＡＭＥＴＲＩＣＳ（商標）及びＣＯＳＭＥＴＲＩＣＳ（商標）皮膚可視化及び皮膚測定システムなどが挙げられる。
【００１８】
代替として、すなわち前述の自動化された画像形成装置若しくは分析装置から受信されたデータと組み合わせて、皮膚プロファイルを生成するための手段は、例えば、ホームコンピュータに関連付けられたキーボード又はタッチスクリーン、携帯情報端末（ＰＤＡ）、携帯電話又はスマートフォン、ＰＯＳターミナル、キオスク、ワークステーションなどの入力装置からの選択的な入力の形でデータを受信してもよい。美容オペレータが、入力情報を選択的に入力する。美容オペレータは、例えば、肌の専門家、美容アドバイザ、美容師、皮膚科医、又は実店舗型の小売店の化粧品売り場などにいる商品の販売若しくは推奨に携わる販売員であってもよい。あるいは、美容オペレータは遠隔にいて、使用者（すなわち消費者、購入者、又は製品の最終使用者）が、例えば電子メール、テキストメッセージ、インスタントメッセージ、チャットセッション、ソーシャルネットワーキングＷｅｂサイトなどの電子的手段を介してアクセスしてもよい。いずれの場合にも、美容オペレータが、少なくともいくつかのデータを最終使用者から引き出し、最終使用者の実際の外観又は最終使用者が提出した一つ若しくは複数の画像に対する視覚的分析を実施する。この情報は、製品小売業者又は製品メーカーによってあらかじめ作成された診断及び推奨規約に基づいたデータで補足される。あるいは、美容オペレータが、そうした目的のために作成された質問票を通じて、データを使用者から引き出してもよい。オペレータが、皮膚状態を診断し、製品を推奨するが、その製品はいずれも使用者の皮膚の処置領域の特定の部位又は領域にマッピングすることができる。このマッピングは、マウス誘導式のスクリーンポインタ又はタッチスクリーン入力装置を介して、画像形成装置によって取得された所望の処置領域の画像上において直接行うことができる。
【００１９】
代替として、すなわち美容オペレータと共同で、使用者（消費者若しくは最終使用者）は、ホームコンピュータ、キーボード、タッチスクリーン、キオスク、携帯電話、ＰＤＡなどの入力装置を介してデータを直接入力することができる。これは、美容オペレータの案内の下、実施することができるか、単独で実施することができる。使用者は、例えば、デジタルカメラ、携帯電話、ＰＤＡ、又はホームコンピュータ若しくはキオスクに搭載されたカメラで撮られた画像をアップロードする。
【００２０】
美容アドバイザの援助によるか、又は単独で、データを使用者から引き出すために使用される質問票に関して、質問票は、客観的情報と主観的情報の両方を引き出すように作成されている。例えば、質問票で、使用者の皮膚が油っぽいか、比較的客観的な質問をしてもよい。あるいは、質問票で、使用者が、自分の皮膚がどの程度油っぽいと考えているか、比較的主観的な質問をしてもよい。質問票では、消費者に、自分には何の問題があると認識しているか、どの問題の解決に最も関心があるかと、同じく比較的主観的な質問をしてもよい。質問に対する客観的な回答及び主観的な回答は、データとしてシステムに入力することができる。コンピュータソフトウェア及び関連するコンピュータ装置は、データを処理し、さまざまな皮膚状態、及び取得された画像（複数可）におけるその皮膚状態の対応する位置を示す、個々の使用者用にカスタマイズされた皮膚プロファイルを生成するようにプログラムされている。システムは、認識された問題及び／又は実際の問題の状態を含め、皮膚プロファイルで特定されたさまざまな皮膚状態の処置のための推奨事項を生成するようにもプログラムされている。
【００２１】
同時係属中の米国特許出願第12/533,107号及び上記に示されるように、皮膚プロファイルを生成する手段のための入力は、分析装置によって生成することができ、この分析装置は、画像データを分析し、且つ、その画像データに基づいて使用者の皮膚の所望の処置領域の状態を示す皮膚プロファイルを生成するためにプログラムされている。このような皮膚プロファイルは、さまざまな既知のアルゴリズムを使用して生成することができる。こうしたアルゴリズムの例は、「皮膚表面解析システム及び皮膚表面解析方法(Skin Surface Analysis System and Skin Surface Analysis Method)」という名称の特開平７−２３１８８３、「Systems and Methods for the Multispectral Imaging and Characterization of Skin Tissue」という名称の国際特許出願公開ＷＯ９８／３７８１１、「Apparatus and Method for Monitoring Visually Accessible Surfaces of the Body」という名称の米国特許第５，０１６，１７３号によってより詳細に記載されており、これらの内容の全体が、あらゆる目的のために本明細書に組み込まれる。本発明において皮膚の欠点を診断するために使用できる市販の皮膚画像形成ツールには、例えば、キャンフィールド・サイエンティフィック・インコーポレイティッド(Canfield Scientific, Inc.、ニュージャージー州フェアフィールド)製のＶＩＳＩＡ（登録商標）  Ｃｏｍｐｌｅｘｉｏｎ  Ａｎａｌｙｓｉｓツール、サーマルカメラシステム、レーザドップラ画像形成システム、半透明度測定装置、メラニン・紅斑測定装置、ＣＫエレクトロニック(CK Electronic、ドイツ、ケルン)製のＭｅｘａｍｅｔｅｒ（登録商標）  ＭＸ１８、コニカ・ミノルタ・ビジネス・ソリューションズＵ．Ｓ．Ａ．(Konica Minolta Business Solutions, U.S.A.、ニュージャージー州ラムジー)製のＣＲシリーズＣｈｒｏｍａ  Ｍｅｔｅｒｓ、アストロン・クリニカ・リミテッド(Astron Clinica Ltd.、英国、ケンブリッジ)製のＳＩＡＭＥＴＲＩＣＳ（商標）及びＣＯＳＭＥＴＲＩＣＳ（商標）皮膚可視化及び皮膚測定システムなどが挙げられる。さらに、取得された画像及び他のデータは、例えばＦａｃｅＧｅｎ(www.facegen.com)などの三次元顔形状モデリングプログラムを通じて処理し、個人の顔の特徴、皮膚の欠点、及び処置領域を三次元でマッピングすることができる。三次元でマッピングされた顔はさらに、処置領域の位置をより正確なものにすることで、個人の正確な顔の特徴及び寸法に合う「オーダーメイド」のスキンケア製品を作製することができる。三次元マッピングは、使用者の三次元「仮想」頭部の表示を可能にし、この「仮想」頭部は、オーダーメイドの個別のスキンケア製品を作製し、さらには改良することが推進されるよう、「製図板（drawing board）」として操作及び使用され得る。提案された有効物質及び処置領域を含む皮膚プロファイルは、客観的要望又は主観的要望に基づいて、使用者によって調整され得る。使用者主導の選択プロセスは、色の選択又は美的なパターンを含んでもよく、ここで、色の選択又は美的なパターンは、製品の便利さ（すなわち処置領域の特定）、望ましさ（すなわち美的な魅力）、関与及び対話性（すなわち使用者の遊び心）を高めるため、最終的なマスクに適用され得る。皮膚の欠点の重症度を数値で表す場合、このような数値は、使用者の人種的起源、年齢、居住場所、又はその使用者の皮膚状態に影響を及ぼし得る他の任意の要因に基づいて、標準化することが望ましいことがある。
【００２２】
いったん皮膚プロファイルが生成されて保存されると、Ａｄｏｂｅ  Ｐｈｏｔｏｓｈｏｐ  Ｅｌｅｍｅｎｔ  ４．０やＭｉｃｒｏｓｏｆｔ  ＰｏｗｅｒＰｏｉｎｔ  ２００３などの任意の適当な写真編集及びイラストレーションソフトウェアプログラムを用いて、皮膚プロファイルを処理し、プリント装置に出力される画像を作製することができる。このプリント装置は、これに対応して、使用者特有の皮膚状態に基づいて使用者用にカスタマイズされた一つ又は複数の美容送達シートをプリントアウトする。あるいは、美容送達シートの処理及びプリントのため、個別仕様のソフトウェアプログラムを記述してもよい。プリント装置は、複数のカートリッジを搭載したプリンタであり、各カートリッジは、一種類以上の皮膚有効成分を含む組成物が充填されていることが好ましい。従来のサーマルインクジェットプリント機構は、インク吐出工程の間、プリントヘッドに高温環境を作り出し、これにより一定の皮膚有効成分を劣化又は不安定化させることがあるので、本発明におけるプリントは、非加熱式プリント機構を使用して実施されることが好ましい。例えば、圧力駆動式インクジェットを使用することができるが、圧力駆動式インクジェットでは、圧電変換器によって要求に応じて圧力が生成され、インクジェットプリントヘッドにおける内部膜の形状が変化し、その結果、インクジェットタンクに含まれる皮膚有効成分の液滴が基体上に付着する。本発明の実施に適したプリント装置には、例えば、Ｅｐｓｏｎ  Ｗｏｒｋｆｏｒｃｅシリーズ、好ましくはＥｐｓｏｎ  Ｗｏｒｋｆｏｒｃｅ  ３０、富士フイルムダイマティックス製のＳｐｅｃｔｒａ圧電式プリンタ、ＲＩＳＯ  ＨＣ５５００インクジェットプリンタなどが含まれる。あるいは、送達される皮膚有効成分が熱に安定しているか、熱劣化の影響を比較的受けにくい場合、従来のサーマルインクジェットプリンタ又は低発熱のインクジェットプリンタを本発明の実施に使用することができる。
【００２３】
本発明は、上述の非加熱式プリント処理を使用することにより、複数の皮膚有効成分の送達をその生物学的活性をほとんど又は全く減少させることなく上手く実現している。第一に、非加熱式プリント処理は、皮膚有効成分の劣化をほとんど又は全く生じさせない。第二に、お互いの生物学的活性を妨げることで知られている特定の皮膚有効成分は、別々のカートリッジに配置し、基体上に別々の液滴として付着させることができる。さらに重要なことは、このような互いに妨げになる皮膚有効成分の液滴は、サイズが十分に小さいので、散在するように配列することができる。したがって、こうした皮膚有効成分が、互いに混ぜ合わされる必要なく、同じ領域に同時に処置を施すことができる。
【００２４】
このようにプリントされた美容送達シートは、シート素材のマスク若しくはパッチ又は同様のシステムを介して、顔又は体の皮膚のあらゆる場所の、成分を送達するための所定の領域に使用することができる。美容シートの正確なサイズ及び形状は、意図する用途及び製品の特性によって決まることになる。美容シートは、十分な柔軟性をもち、サイズ及び形状が使用者の皮膚の所望の処置領域に合うように調整される。本発明の必須ではないが特に好ましい実施形態では、美容シートは、顔の特徴に合うように調整された顔用マスクである。本発明によれば、さまざまな形状及びサイズが提供され得ることが理解されよう。このような美容シートは、必須ではないが好ましくは、糖若しくは多糖類、コラーゲン、水溶性膜形成ポリマーなどの水溶性又は非水溶性の物質から形成される柔軟な基体を含み得る。基体は、複数の隔離された個別の領域を含み、このような領域のうちの少なくとも二つの領域には、使用者の皮膚プロファイルに従って異なる皮膚状態を処置するために異なる皮膚有効成分がインプリントされる。
【００２５】
本発明で使用可能な適切な皮膚有効成分には、抗シワ成分又は肌引締め成分、アンチエイジング成分、保湿成分、肌の美白成分又は脱色成分、抗炎症成分、抗ニキビ成分、DNA修復成分、皮膚の脂質バリア修復成分、抗セルライト成分、創傷治癒成分、ストレッチマーク/傷跡除去成分、ふっくら成分(plumping agents)、むだ毛成長遅延成分(hair growth retardation agents)、育毛刺激成分、クマ減少成分又は腫れぼったさ解消成分(de-puffing agents)、コラーゲン合成又は血流促進成分、抗酸化成分、皮脂コントロール成分、及び毛穴収縮成分(pore-minimizing agents)が含まれるが、これに限定されるものではない。抗シワ成分の例には、アセチルヘキサペプチド−８、パルミトイルオリゴペプチド、ジペプチドジアミノブチロイル、ベンジルアミドジアセテートなどが含まれるが、これに限定されるものではない。肌引締め成分の例には、緑藻エキス、プルラン、スイートアーモンド種子エキス、カルボマー、パルミトイルオリゴペプチド、パルミトイルテトラペプチド−７、コルクガシエキスなどが含まれるが、これに限定されるものではない。アンチエイジング成分の例には、テプレノン、レスベラトロール三リン酸三ナトリウム、虎杖根エキス、ホエイタンパクなどが含まれるが、これに限定されるものではない。保湿成分の例には、ヒアルロン酸、グリセリン、尿素、トレハロースなどが含まれるが、これに限定されるものではない。肌の美白成分又は脱色成分の例には、アスコルビン酸、リン酸アスコルビルマグネシウム、リン酸アスコルビルアミノプロピル、ソウハクヒエキス、オウゴンエキス、ブドウエキス、フェルラ酸、ヒノキチオールなどが含まれるが、これに限定されるものではない。抗炎症成分の例には、イワヒバエキス(spike moss extract)、シーウィップエキス、虎杖根エキスなどが含まれるが、これに限定されるものではない。抗ニキビ成分の例には、サリチル酸、グリコール酸、ラクトビオン酸などが含まれるが、これに限定されるものではない。ＤＮＡ修復成分の例には、テトラヒドロキシシクロヘキサン酸アルキル（Ｃ１−Ｃ８）、ミクロコッカス溶解液、ビフィズス菌発酵エキスなどが含まれるが、これに限定されるものではない。皮膚の脂質バリア修復成分の例には、フィトスフィンゴシン、リノール酸、コレステロールなどが含まれるが、これに限定されるものではない。抗セルライト成分の例には、コレウス根エキス、タイサンボク樹皮エキス、ハスの葉エキスなどが含まれるが、これに限定されるものではない。創傷治癒成分の例には、ミモザテヌイフローラ樹皮エキス、ダイズタンパクなどが含まれるが、これに限定されるものではない。ふっくら成分の例には、サッカロミセス／キシリヌム／紅茶培養物、ハナスゲ根エキス、ヒアルロン酸ナトリウムなどが含まれるが、これに限定されるものではない。むだ毛成長遅延成分の例には、ウルソル酸、フィトスフィンゴシン、ボスウェリアセラタ樹脂エキスなどが含まれるが、これに限定されるものではない。育毛刺激成分の例には、ソウパルメット果実エキス、カンゾウエキス、アセチルグルコサミンなどが含まれるが、これに限定されるものではない。クマ減少成分又は腫れぼったさ解消成分の例には、ヘスペリジンメチルカルコン、ジペプチド−２、チャボトケ���ソウ花エキス、リノール酸、イソリノール酸などが含まれるが、これに限定されるものではない。コラーゲン合成又は血流促進成分の例には、アルギニン、アスコフィルムノドスムエキス、アスパラゴプシスアルマタエキス、カフェインなどが含まれるが、これに限定されるものではない。抗酸化成分の例には、ノルジヒドログアイアレチン酸、ブドウ種子エキス、緑茶葉エキスなどが含まれるが、これに限定されるものではない。
【００２６】
上記皮膚有効成分を本発明のプリント装置に対応するインク配合物へと配合することができる。このようなインク配合物は、水性溶液又は水中油エマルションであり得る。送達される全ての皮膚有効成分が水溶性の場合、インク配合物は水性溶液であることが好ましい。皮膚有効成分のいくつかが油溶性の場合、インク配合物は、連続的な水相中に分散された微粒子化した油滴の形で油相を含む微粒子エマルション（浮遊液）であることが好ましい。あるいは、非水溶性皮膚有効成分を溶解ベースのインク配合物へと配合することで、水性のインク配合物を用いて有効物質の溶解度問題を克服することができる。
【００２７】
図１は、本発明の全体的な概念システム及び方法を表す流れ図である。第一のボックスは、カスタマイズ可能なスキンケア製品、すなわち、個々の使用者に合わせて調整できる製品を作製する工程である。第二の工程は、使用者の画像を獲得することである。第三の工程は、皮膚評価である。第四の工程は、美容製品作製ソフトウェアに関係する。第五の工程は、その場又は別の場所の美容用プリンタに関係する。そして最後の工程では、製品を完成する。各工程は、以下の段落でさらに詳しく説明する。
【００２８】
図２は、図１に示した全体的なシステムのうちの画像獲得工程をさらに詳しく示す流れ図である。第一に、照明、カメラ（複数可）、及び他の機器が、画像を取得するために位置決めされる。次いで、画像が取得される。画像は、ハイエンドのデジタルカメラ又はビデオカメラか、例えば携帯電話や全自動カメラなどの単に消費者グレードのカメラかのいずれかで取得され得る。使用者の二つ以上の画像が、それぞれが異なる角度から取得され、例えば顔全体の分析が実現され得ることが好ましい。画像（複数可）と共に位置決め情報が、取得された画像（複数可）に関して獲得される。これは、画素又は他のものに基づいて実現され得る。画像に関する獲得された又は確立された位置決め情報が分析され、標識点（例えば口又は目の角）をマッピングし、最終的に問題及び／又は処置領域の位置をマッピングするために表面形状が決定され得る。画像は二次元又は三次元のグラフィック環境でデジタル化される。最後に、電子的画像が表示される。
【００２９】
図３は、図１に示した全体的なシステムのうちの皮膚評価工程の一実施形態をさらに詳しく示す流れ図である。対処すべき皮膚の悩みは、例えば、シワ及び小ジワ、年齢によるシミ、クマ、深いシワ、皮膚のたるみなどがあり得る。皮膚評価は、二つの経路のうちの一つの経路をたどることができる。任意選択の経路Ａは、例えば、皮膚科医、美容アドバイザ、美容師、皮膚科医、又は実店舗型の小売店若しくはオンラインショッピング会場の化粧品売り場などにいる商品の販売若しくは推奨に携わる販売員などの肌の専門家（本明細書では美容オペレータとも呼ぶ）による評価を含む。皮膚に関する質問票が、評価を先導するために使用される。評価によって個々の皮膚の悩みＡ、Ｂ、Ｃなどが特定され、皮膚の悩みの領域が特定される。経路Ａは皮膚評価の要約に至る。もう一つの選択肢として、経路Ｂは、消費者対話式システムを含む。経路Ｂもまた、評価を先導するための皮膚に関する質問票を含み、皮膚の悩みＡ、Ｂ、Ｃなどが特定され、皮膚の悩みの領域が特定される。経路Ｂも同様に皮膚評価の要約に至る。
【００３０】
図４は、図１に示した全体的なシステムのうちの皮膚評価の要約及び美容製品作製ソフトウェア工程をさらに詳しく示す流れ図である。皮膚評価の要約は、皮膚の悩みＡ、Ｂ、Ｃなどを含む。美容製品作製ソフトウェアは、皮膚評価の要約を受信する。美容製品作製ソフトウェアは、皮膚有効物質の提案及び選択を生成するようにプログラムされている。美容製品作製ソフトウェアはさらに、皮膚有効物質濃度の提案及び推奨を生成するようにプログラムされている。美容製品作製ソフトウェアは、標的皮膚領域のための美容製品の提案及び選択を生成するようにプログラムされている。このソフトウェアはさらに、基体の提案及び選択を生成するようにプログラムされている。ソフトウェアは、皮膚の悩みに関する全ての層の合成物を作製する。ソフトウェアは、使用者に、提案及び推奨に最終承認する機会を提供する。いったん承認されると、その提案及び推奨は、その場又は別の場所のいずれかの美容用プリンタに送信されて、個別仕様の処置用製品が作製される。
【００３１】
図５は、図１に示した全体的なシステムのうちのその場にあるプリンタ又は別の場所にあるプリンタの工程をさらに詳しく示す流れ図である。その場又は別の場所のいずれかのプリンタが、提案及び推奨を美容製品作製ソフトウェアから受信する。プリンタは、使用者の獲得された画像から位置情報も受信する。プリンタと関連付けられたソフトウェアが、基体の選択、皮膚有効物質インクの選択、皮膚有効物質濃度のレベル、及び標的皮膚領域（位置）を確認する。次いで最終製品をプリントする。プリンタがその場にある場合、最終製品が直接使用者に提供される。プリンタが別の場所にある場合、最終製品が使用者に発送されるか、使用者がＰＯＳ（小売り場所）に戻ってプリントされたマスクを引き取ること、すなわち店舗への二度目の訪問が推奨される。最終製品は、例えば、以下の段落で詳しく説明されるような顔全体用マスクである。
【００３２】
図６は、本発明の一実施形態による、顔用マスク１０の略図である。顔用マスク１０は、互いから隔離された複数の個別の領域１２、１４、１６、及び１８を含む。使用者の特定の皮膚状態に基づいて、領域１２には、使用者の顔のＴゾーン部の油っぽさを抑えるために、少なくとも一つの皮脂コントロール成分がインプリントされ、領域１４には、使用者の目尻及び口角のシワ及び小ジワを抑えるために、少なくとも一つのシワ減少成分又は肌引締め成分がインプリントされ、領域１６には、少なくとも一つのクマ減少成分又は腫れぼったさ解消成分がインプリントされ、領域１８には、少なくとも一つの抗セルライト成分がインプリントされている。もちろん、皮膚プロファイル分析に基づいて、個別の領域自体もカスタマイズすることができる。カスタマイズには、サイズ、形状、及び個別の領域の数が含まれる。必須ではないが好ましくは、マスク１０上の異なる領域は、皮膚有効成分が目的とする、顔の異なる特徴と簡単に一致するように、異なる色で印を付けるとよい。図２は、本発明の第二の実施形態による、顔用マスク１０の略図である。
【００３３】
図７は、図１の領域１４の分解図を示す。五つの異なるタイプの皮膚有効成分がその上にプリントされており、それにはシワ減少成分又は肌引締め成分２０、アンチエイジング成分２２、抗酸化成分２４、保湿成分２６、及びふっくら成分２８が含まれる。このような皮膚有効成分は、基体上に別々の液滴として付着し、互いに混ざり合うことなく、それぞれが散在している。このようにして、こうした皮膚有効成分が、使用者の目尻及び口角に対し、互いに妨げになることが最小であるか、全くない状態で同時に処置を施すことができる。
【００３４】
当業者であれば、本発明で使用するのに適したゲル状の美容シートは必然的に粘着性があるが、紙又は布地から成る美容シートは、皮膚への粘着力を高めるため、支持体の第一表面と結合された美容上許容できる粘着層の存在が必要な場合があることが理解されよう。シートの皮膚への粘着は、シートの表面と結合された粘着性化合物を介して生じるものであってもよいし、シートを湿らせることでシートが皮膚に密着するようにする、ゲル、又は水などの液体の形で提供されてもよい。使用者は、あらかじめ湿らせた皮膚にマスクを貼ってもよい。消費者が液体活性剤(liquid activator)をシート又はシートの特定の領域に投入し、それがシートの皮膚への粘着を助けるか、しみ込ませた配合物を活性化するか、又はその両方の機能を果たし得ることも考えられる。美容シートは、シートを皮膚に貼る前に取り除く、例えば剥がすことができる補助シートと共に提供されてもよい。
【００３５】
美容シートは、フエルト、紙、天然繊維、合成繊維、伸縮性混合素材(elastic blends)、又はこれらの混合物などの織布及び不織布を含む、薄く多孔性で柔軟な吸収材料から形成され得る。これらに限定されないが、例として、綿、リネン、レーヨン、熱可塑性樹脂、セルロース化合物がある。シート素材は、糖又は多糖類、コラーゲン、及び水溶性膜形成ポリマーなどの水溶性素材であってもよい。シート素材は、例えばアガロース、又はメチルセルロース、ヒドロキシエチルセルロース、ヒドロキシプロピルセルロース、ヒドロキシプロピルメチルセルロース、ヒドロキシプロピルヒドロキシエチルセルロース、ヒドロキシエチルメチルセルロース、エチルセルロース、ヒドロキシエチルエチルセルロース、若しくはカルボキシメチルセルロースを含み得る水溶性低置換度セルロースエーテルで構成される、ヒドロゲルなどのゲルを含んでもよい。コスト、生産性、及び美的感覚の観点から、不織布が特に好ましい。好ましい不織布素材の例には、天然フエルト及び合成フエルト、米で作られた紙又は布、並びに竹布が含まれるが、これに限定されるものではない。本発明の必須ではないが特に好ましい実施形態では、美容シートの基体と皮膚有効成分の両方が、完全に糖又はコラーゲンなどの水溶性であり、したがって水又は同様の液体活性剤を付けると、美容シートが柔らかくなって皮膚になじむようになり、続いてシート全体が皮膚表面に吸収され、取り除く必要がない。本発明の実施に適した市販の美容シートには、例えば、コピーケイク(Kopykake、カリフォルニア州トーランス)製の糖ベースのフロスティングシート(Frosting Sheet)、ドクター・ズベラック・スキンアンドヘルスケア株式会社(ドイツ、ビラーベック)製のＭａｔｒｉｃｏｌ(登録商標)コラーゲンシート、及び３Ｍ(商標)  Ｔｒａｎｓｐａｒｅｎｔ  ２．６  ｍｉｌ  Ｐｏｌｙｅｔｈｙｌｅｎｅ  Ｍｅｄｉｃａｌ  Ｔａｐｅ  ９８３０が含まれる。
【実施例１】
【００３６】
カフェインパワーの標的化送達（targeted delivery）
以下の成分を混合してカフェインパワーを含む水性溶液を調整した。
【表１】
2013532003.tif 000003
【００３７】
カフェインパワーがプリントされた領域に印を付けるために、ＦＤ＆ＣブルーＮｏ．１色を使用した。上記水性溶液をＥｐｓｏｎ  Ｗｏｒｋｆｏｒｃｅ  ３０インクジェットプリンタの詰替え可能インクカートリッジの中に入れ、Ｐｈｏｔｏｓｈｏｐ  Ｅｌｅｍｅｎｔ  ４．０をインストールしたパーソナルコンピュータにこのプリンタを接続した。コピーケイク(Kopykake、カリフォルニア州トーランス)製の糖ベースのフロスティングシート、ドクター・ズベラック・スキンアンドヘルスケア株式会社（ドイツ、ビラーベック）製のＭａｔｒｉｃｏｌ（登録商標）コラーゲンシート、及び３Ｍ（商標）  Ｔｒａｎｓｐａｒｅｎｔ  ２．６  ｍｉｌ  Ｐｏｌｙｅｔｈｙｌｅｎｅ  Ｍｅｄｉｃａｌ  Ｔａｐｅ  ９８３０など三種類の異なるタイプの基体シートをＥｐｓｏｎ  Ｗｏｒｋｆｏｒｃｅ  ３０インクジェットプリンタの用紙トレイに入れたところ、インクジェットプリンタによってカフェイン含有水性溶液が基体シート上に順調にプリントされた。次いで、皮膚有効成分としてカフェインを標的化送達するために、プリントされた基体シートを使用者の皮膚に貼り付けた。
【実施例２】
【００３８】
サリチル酸の標的化送達
以下の成分を混合してサリチル酸を含む水性溶液を調整した。
【表２】
2013532003.tif 000004
【００３９】
サリチル酸（ＳＡ）がプリントされた領域に印を付けるために、ＦＤ＆ＣイエローＮｏ．５色を使用した。上記水性溶液をＥｐｓｏｎ  Ｗｏｒｋｆｏｒｃｅ  ３０インクジェットプリンタの詰替え可能インクカートリッジの中に入れ、Ｐｈｏｔｏｓｈｏｐ  Ｅｌｅｍｅｎｔ  ４．０をインストールしたパーソナルコンピュータにこのプリンタを接続した。コピーケイク（Ｋｏｐｙｋａｋｅ、カリフォルニア州トーランス）製の糖ベースのフロスティングシート、ドクター・ズベラック・スキンアンドヘルスケア株式会社（ドイツ、ビラーベック）製のＭａｔｒｉｃｏｌ（登録商標）コラーゲンシート、及び３Ｍ（商標）  Ｔｒａｎｓｐａｒｅｎｔ  ２．６  ｍｉｌ  Ｐｏｌｙｅｔｈｙｌｅｎｅ  Ｍｅｄｉｃａｌ  Ｔａｐｅ  ９８３０など三種類の異なるタイプの基体シートをＥｐｓｏｎ  Ｗｏｒｋｆｏｒｃｅ  ３０インクジェットプリンタの用紙トレイに入れたところ、インクジェットプリンタによってＳＡ含有水性溶液が基体シート上に順調にプリントされた。次いで、皮膚有効成分としてＳＡを標的化送達するために、プリントされた基体シートを使用者の皮膚に貼り付けた。
【実施例３】
【００４０】
アルジルリン溶液ＮＰ（アセチルヘキサペプチド−８）の標的化送達
以下の成分を混合してアルジルリン溶液ＮＰを含む水性溶液を調整した。
【表３】
2013532003.tif 000005
【００４１】
上記水性溶液をＥｐｓｏｎ  Ｗｏｒｋｆｏｒｃｅ  ３０インクジェットプリンタの詰替え可能インクカートリッジの中に入れ、Ｐｈｏｔｏｓｈｏｐ  Ｅｌｅｍｅｎｔ  ４．０をインストールしたパーソナルコンピュータにこのプリンタを接続した。コピーケイク（Ｋｏｐｙｋａｋｅ、カリフォルニア州トーランス）製の糖ベースのフロスティングシート、ドクター・ズベラック・スキンアンドヘルスケア株式会社（ドイツ、ビラーベック）製のＭａｔｒｉｃｏｌ（登録商標）コラーゲンシート、及び３Ｍ（商標）  Ｔｒａｎｓｐａｒｅｎｔ  ２．６  ｍｉｌ  Ｐｏｌｙｅｔｈｙｌｅｎｅ  Ｍｅｄｉｃａｌ  Ｔａｐｅ  ９８３０など三種類の異なるタイプの基体シートをＥｐｓｏｎ  Ｗｏｒｋｆｏｒｃｅ  ３０インクジェットプリンタの用紙トレイに入れたところ、インクジェットプリンタによってアルジルリン含有水性溶液が基体シート上に順調にプリントされた。次いで、皮膚有効成分としてアルジルリン（アセチルヘキサペプチド−８）を標的化送達するために、プリントされた基体シートを使用者の皮膚に貼り付けた。
【００４２】
前述の各実施例において色は任意選択であることに留意されたい。
【００４３】
図９は、コンピュータ式皮膚診断を含む、図１に示した全体的なシステムのうちの皮膚評価工程の二つの代替実施形態をさらに詳しく示す流れ図である。この流れ図は、左から右に四つの代替経路を示し、具体的には、１）自動化された皮膚分析システム（全自動）、２）肌の専門家が皮膚分析器を使用（半自動）、３）肌の専門家が質問票を使用、４）消費者対話式システムで質問票を使用、である。経路３及び経路４、すなわち「手動」つまり非自動での皮膚診断を示す図９に示す流れ図の右側の二つの経路が、図１に示す流れ図に示し、本明細書で先に述べた二つの経路と同じであることに留意されたい。追加の実施形態は、図９に示す流れ図の左側の経路１及び経路２である。図９の左側の経路１及び経路２が、全て「自動化された」又は全「自動」のコンピュータ式皮膚診断（経路１、最も左の経路）及び半自動化された又は半自動のコンピュータ式皮膚診断（経路２、左から二番目の経路）のための代替経路を示す。全て自動化された皮膚分析の経路には、例えば、データを収集するための画像形成器及び／又はセンサ及び／又はプローブをおそらく含むシステムなどの自動皮膚分析システムを提供する第一の工程がある。第二の工程には、皮膚の悩みＡ、Ｂ、Ｃなどの自動特定が含まれる。第三の工程には、皮膚の悩みの領域の特定が含まれる。次いで経路は皮膚評価の要約に至る。左から二番目の半自動の経路では、肌の専門家と、肌の専門家が操作する皮膚分析器（例えば、画像形成器、センサ、プローブなどの機器）が関係する。肌の専門家が皮膚分析器を操作して、皮膚の悩みＡ、Ｂ、Ｃなどを特定し、皮膚の悩みの領域を特定する。この経路もまた皮膚評価の要約に至る。自動、半自動、手動／肌の専門家、又は手動／消費者対話式のどの経路が利用されても、結果は皮膚評価の要約になり、その要約が美容製品作製ソフトウェアに入力され、個別仕様の美容製品を作製することができる。
【００４４】
本発明は、複数の好ましい実施形態に従って説明されてきたが、当業者であれば、さまざまな変更及び修正が、本発明の趣旨及び範囲から逸脱することなく、実施され得ることが理解されよう。
【図１】
2013532003.tif 000006
【図２】
2013532003.tif 000007
【図３】
2013532003.tif 000008
【図４】
2013532003.tif 000009
【図５】
2013532003.tif 000010
【図６】
2013532003.tif 000011
【図７】
2013532003.tif 000012
【図８】
2013532003.tif 000013
【図９】
2013532003.tif 000014
【国際調査報告】
2013532003.tif 000015
2013532003.tif 000016